(57)【要約】    【課題】  ＣＭなどの番組に関連する情報を当該番組の視聴者に容易に視聴させることができる番組配信装置及び受信機を提供する。    【解決手段】  放送局１００から本編の一部にＣＭを合成した番組を放送する。サーバ型受信機２００においては、当該番組の視聴が選択された場合、ＣＭの視聴を受け入れるか否かの選択を視聴者に促す。視聴者によってＣＭの視聴を受け入れる旨の選択が行われた場合にのみ、本編部分から合成されたＣＭが分離され、本編全てにおいて正常な再生が行われる。【選択図】    図１０
2006041808.tif 000002
【特許請求の範囲】
【請求項１】
番組の内容をあらわす本編情報と当該番組に関連する関連情報とを合成した合成番組情報を受信するとともに、前記関連情報を受信する受信手段と、
前記合成番組情報から前記関連情報を分離すべきか否かを判定する判定手段と、
前記判定手段によって分離すべきと判定された場合、前記関連情報を利用して前記合成番組情報から前記関連情報を分離する分離手段と、
前記分離手段によって前記関連情報が分離されなかった場合には前記合成番組情報を再生する一方、前記分離手段によって前記関連情報が分離された場合には前記本編情報を再生する再生手段と
を具備することを特徴とする受信機。
【請求項２】
前記判定手段は、当該番組の再生が指示されたとき、前記関連情報の再生を許容するか否かの判断をユーザに促し、前記関連情報の再生が許容された場合に前記合成番組情報から前記関連情報を分離すべきであると判定することを特徴とする請求項１に記載の受信機。
【請求項３】
前記合成番組情報には、合成された関連情報に関わる合成元関連情報と、該関連情報が合成された本編情報に関わる合成先本編情報とを含むことを特徴とする請求項１または２に記載の受信機。
【請求項４】
前記番組は、映像または音声の少なくともいずれか一方のメディアを利用した番組であることを特徴とする請求項１〜３のいずれか１の請求項に記載の受信機。
【請求項５】
前記関連情報は、該番組に関わる広告情報であることを特徴とする請求項１〜４のいずれか１の請求項に記載の受信機。
【請求項６】
前記番組は、映像を利用した番組であり、
前記関連情報は、前記本編情報に含まれる一部の動画情報若しくは静止画情報であることを特徴とする請求項１〜３のいずれか１の請求項に記載の受信機。
【請求項７】
番組の内容をあらわす本編情報と当該番組に関連する関連情報とを合成して合成番組情報を生成する生成手段と、
前記合成番組情報及び前記関連情報を送信する送信手段と
を具備することを特徴とする番組配信装置。
【請求項８】
前記合成番組情報には、合成された関連情報に関わる合成元関連情報と、該関連情報が合成された本編情報に関わる合成先本編情報が含まれていることを特徴とする請求項７に記載の番組配信装置。
【請求項９】
前記番組は、映像または音声の少なくともいずれか一方のメディアを利用した番組であることを特徴とする請求項７または８に記載の番組配信装置。
【請求項１０】
前記関連情報は、該番組に関わる広告情報であることを特徴とする請求項７〜９のいずれか１の請求項に記載の番組配信装置。
【請求項１１】
前記番組は、映像を利用した番組であり、
前記関連情報は、前記本編情報に含まれる一部の動画情報若しくは静止画情報であることを特徴とする請求項７または８に記載の番組配信装置。
【発明の詳細な説明】
【技術分野】
【０００１】
本発明は、番組を配信する番組配信装置及び配信される番組を受信する受信機に関する。
【背景技術】
【０００２】
デジタル放送が本格化されつつある今日、ＢＳ放送、ＣＳ放送、ケーブルテレビ放送、地上波デジタル放送が開始され、これに伴い大容量ハードディスクを備えたテレビや録画機器等が広く普及している。
このような状況下で、テレビ放送の多チャンネル化がより一層促進されると、数多くあるチャンネルや番組の中から視聴者が主体的に見たい番組やチャンネルを選ぶようになる。      
【０００３】
その一方、主として民間放送局における番組の製作は、当該番組を介して宣伝広告を行いたいと考えるスポンサーから提供される資金に頼っており、その番組を放送している間にスポンサーの広告情報（Commercial Message；以下、ＣＭ）を如何にして視聴者に見せるかが問題となる。
【０００４】
例えば、視聴者が録画機器のハードディスクに見たい番組を記録し、後にその番組を見るような場合、視聴者がＣＭ部分だけを飛ばして（いわゆるＣＭスキップして）番組を容易に見ることができるとすれば、そのＣＭで宣伝活動を行うスポンサーは当該番組に資金提供している意味がなくなってしまう。
【０００５】
かかる事情に鑑み、ＣＭを見た後でなければ番組をみることができないように、暗号による妨害を与えるスクランブル技術が提案されている（例えば、特許文献１参照）。
【特許文献１】特開２００２−７８７１号公報
【発明の開示】
【発明が解決しようとする課題】
【０００６】
しかしながら、上記技術においては、スクランブルを解くために暗号鍵を別途入手するとともに、入手した暗号鍵を保存・管理する必要があり、煩雑な手続きが強いられるといった問題が生ずる。
【０００７】
また、暗号鍵を入手する際、伝送誤りなどが生じて正常な暗号鍵が入手できなければ、その伝送誤りが極めて小さくとも（１ビットの伝送誤り等）、所望する番組をまったく見ることができないといった問題も生ずる。
【０００８】
本発明は、以上説明した事情を鑑みてなされたものであり、ＣＭなどの番組に関連する情報を当該番組の視聴者に容易に視聴させることができる番組配信装置及び受信機を提供することを目的とする。
【課題を解決するための手段】
【０００９】
上記目的を達成するため、本発明に係る受信機は、番組の内容をあらわす本編情報と当該番組に関連する関連情報とを合成した合成番組情報を受信するとともに、前記関連情報を受信する受信手段と、前記合成番組情報から前記関連情報を分離すべきか否かを判定する判定手段と、前記判定手段によって分離すべきと判定された場合、受信した関連情報を利用して前記合成番組情報から前記関連情報を分離する分離手段と、前記分離手段によって前記関連情報が分離されなかった場合には前記合成番組情報を再生する一方、前記分離手段によって前記関連情報が分離された場合には前記本編情報を再生する再生手段とを具備することを特徴とする。
【００１０】
かかる構成によれば、番組の内容を表す本編情報とＣＭなどの当該番組に関連する関連情報とを合成した合成番組情報を受信し、受信した合成番組情報から関連情報を分離するか否かを判定する。この判定において合成番組情報から関連情報を分離すべきと判定した場合にのみ、合成番組情報から関連情報を分離して再生する。かかる分離を行う際には、合成番組情報とは別に（あるいは同時に）受信する関連情報が利用される。つまり、番組とは全く関連のない暗号鍵等ではなく、その番組の再生時に利用されるＣＭ等が利用されるため、簡便かつ確実に分離することが可能となる。
【００１１】
ここで、上記構成にあっては、前記判定手段は、当該番組の再生が指示されたとき、前記関連情報の再生を許容するか否かの判断をユーザに促し、前記関連情報の再生が許容された場合に前記合成番組情報から前記関連情報を分離すべきであると判定する態様が望ましい。
【００１２】
また、上記構成にあっては、前記合成番組情報には、合成された関連情報を特定するための合成元関連情報と、該関連情報が合成された本編情報を特定するための合成先本編情報とを含む態様も好ましい。
【００１３】
また、上記構成にあっては、前記番組は、映像または音声の少なくともいずれか一方のメディアを利用した番組である態様、さらに前記関連情報は、該番組に関わる広告情報である態様がより望ましい。
【００１４】
また、上記構成にあっては、前記番組は、映像を利用した番組であり、前記関連情報は、前記本編情報に含まれる一部の動画情報若しくは静止画情報である態様が望ましい。
【００１５】
また、本発明に係る番組配信装置は、番組の内容をあらわす本編情報と当該番組に関連する関連情報とを合成して合成番組情報を生成する生成手段と、前記合成番組情報及び前記関連情報を送信する送信手段とを具備することを特徴とする。
【００１６】
ここで、前記合成番組情報には、合成された関連情報を特定するための合成元関連情報と、該関連情報が合成された本編情報を特定するための合成先本編情報が含まれている態様が望ましい。
【００１７】
また、上記構成にあっては、前記番組は、映像または音声の少なくともいずれか一方のメディアを利用した番組である態様、さらに前記関連情報は、該番組に関わる広告情報である態様がより望ましい。
【００１８】
また、上記構成にあっては、前記番組は、映像を利用した番組であり、前記関連情報は、前記本編情報に含まれる一部の動画情報若しくは静止画情報である態様が望ましい。
【発明の効果】
【００１９】
以上説明したように、本発明によれば、ＣＭなどの番組に関連する情報を当該番組の視聴者に容易に視聴させることが可能となる。
【発明を実施するための最良の形態】
【００２０】
以下、本発明に係る実施の形態について図面を参照しながら説明する。
Ａ．第１実施形態
（１）実施形態の構成
図１は、第１実施形態に係る放送システム３００の構成を示す図である。なお、本実施形態では、放送される番組を各受信機に蓄積させ、各視聴者がそれぞれ好きなときに見られるようにするサーバ型放送を想定するが、これに限ることなくストリーム型番組の放送等にも適用可能である（後述）。
【００２１】
放送システム３００は、サーバコンピュータＳＣによって製作・編集された番組を送信機（送信手段）ＴＭを介して放送する放送局（番組配信装置）１００と、放送局１００によって放送される番組をチューナＴＮ（受信手段）等を介して受信し、ディスプレイＤＰやサウンドシステムＳＳに出力するサーバ型受信機（受信機）２００とを備えている。
【００２２】
＜サーバコンピュータＳＣ＞
図２は、サーバコンピュータＳＣの構成を示すブロック図である。
サーバコンピュータＳＣは、ＣＰＵ、ＲＯＭ、ＲＡＭ、通信装置などを備え、ＣＰＵがＲＯＭ等に格納された各種制御プログラムを実行することにより以下に示す各部の機能を実現する。
【００２３】
番組データベース１１０は、録画等された番組ファイルを記憶する第１データベース１１１と、番組の途中で挿入すべきＣＭファイルを記憶する第２データベース１１２と、サーバ型放送用の番組ファイルとして事前に作成されたサーバ型放送番組ファイル（後述）を記憶する第３データベース１１３とを備えている。
【００２４】
制御部１２０は、サーバコンピュータＳＣの各部を中枢的に制御する。
【００２５】
映像スイッチャー１３０は、制御部１２０による制御のもと、第１データベース１１１から転送される番組ファイル、第２データベース１１２から転送されるＣＭファイル、図示せぬ入力部から入力される生放送用の番組素材の間で合成器１４０に供給すべきファイルの切り換え等を行う。
【００２６】
合成器１４０は、制御部１２０による制御のもと、映像スイッチャー１３０を介して供給されるファイルや番組素材（以下では、説明の便宜上、番組ファイルを想定）とＣＭファイルとの合成を行う。
【００２７】
図３は、合成器による合成動作を説明するための図である。
【００２８】
図３（ａ）に示すように、合成前の番組ファイルは、番組のタイトル名や放送日時などをあらわすタイトルデータと、ＣＭの内容をあらわす複数のＣＭデータ（図３では前ＣＭ、中ＣＭ、後ＣＭ）と、番組の本編の内容をあらわす本編データ（図３では本編１、本編２）とを含んで構成される。具体的には、「本編１」の前に「前ＣＭ」が付加され、「本編２」の前に「中ＣＭ」が付加され、番組と番組の間をあらわす「ＳＢ」（ステーション・ブレーク）の前に「後ＣＭ」が付加されている。
【００２９】
合成器（生成手段）１４０は、制御部１２０から与えられる指示に従って特定のＣＭデータ（関連情報）を特定の本編データ（本編情報）の特定箇所に付与する。具体的には、図３の（ｂ）に示すように、「本編１」の後半部分（例えばドラマが急展開する前のシーン）のＣＭの合成に関しては、合成元のＣＭとして「前ＣＭ」が使用される一方、「本偏２」の後半部分（例えばドラマのハイライトシーン）のＣＭの合成に関しては、合成元のＣＭとして「後ＣＭ」が使用される。合成元となるＣＭデータや合成先となる本編データ等については、制御部１２０がランダムに決定しても良く、また放送事業者が番組毎に適宜決定等しても良い。
【００３０】
図４〜図６は、合成元となるＣＭデータ、ＣＭデータが合成される前の本編データ、ＣＭデータが合成された後の本編データをそれぞれ例示した図である。図６に示すように、ＣＭデータが合成されることにより、表示される画像のうちＣＭが合成される部分は見難くなるが、全く見えなくなるわけではない。この本編データに合成されたＣＭは、各サーバ型受信機２００において後述する条件に合致した場合に分離されるが、分離されずとも、見難くなる点を許容すれば、視聴者は本編データの内容を確認することができるといったメリットがある（詳細は後述）。
【００３１】
なお、単純に映像合成を行うとビットオーバフローを引き起こすため、本実施形態では、ＣＭデータの合成処理としてビット毎の排他的論理和（ＥＸＯＲ）処理のように復号時に元に戻る処理を採用する。ただし、かかる方法はあくまで一例であり、どのような処理を採用するかはシステムの設計等に応じて適宜変更可能である。
【００３２】
一方、付加情報生成部１５０は、ＣＭ合成後の番組ファイルに付加するいわゆるメタデータ（本実施形態ではＣＭ付加情報及び番組付加情報）を生成し、これらを多重化装置１６０に供給する。
【００３３】
図７は、ＣＭ付加情報及び番組付加情報の内容を例示した図である。
【００３４】
ＣＭ付加情報（合成元関連情報）は、ＣＭデータ毎に付加される情報であり、当該ＣＭを識別するためのＣＭ識別情報と、当該ＣＭデータが合成元であるか否かを表す合成元判別フラグ（例えば、“０”；非合成元、“１”；合成元）と、当該ＣＭデータの保存期限をあらわすＣＭ期限情報とを含んで構成される。
【００３５】
番組付加情報（合成先本編情報）は、ＣＭが合成された番組ファイルであるか否かを表すＣＭ合成判別フラグ（例えば、“０”；合成無し、“１”；合成有り）と、合成元ＣＭ情報と、合成先本編情報と、合成処理情報と、リモコン操作情報とを含んで構成される。
合成元ＣＭ情報は、合成元となるＣＭデータを特定するための情報であり、例えば合成元となるＣＭデータを識別するためのＣＭ識別情報や合成元となるＣＭデータの位置（何秒何フレームなど）を表すＣＭ位置情報などから構成されている。
一方、合成先本編情報は、合成先となる本編データを特定するための情報であり、例えば合成先となる本編データを識別するための本編識別情報や合成先となる本編データの位置（何秒何フレームなど）をあらわす本編位置情報などから構成されている。
【００３６】
また、合成処理情報は、ＣＭデータの合成処理の内容（例えばＥＸＯＲ、シフトビット数など）を表す情報や圧縮映像伸張時を指定する情報などから構成されている。さらに、リモコン操作情報は、サーバ型受信機２００を利用する視聴者がリモコン操作によって番組を選択・決定するために必要な情報であり、番組を識別するための番組識別情報、番組のジャンルや演出家、出演者等に関する情報、ＥＰＧデータなどから構成されている。
【００３７】
多重化装置（生成手段）１６０は、合成器１４０から供給されるＣＭが合成された後の番組ファイルに付加情報生成部１５０から供給されるＣＭ付加情報及び番付加情報を付加し、これを多重化等してサーバ型放送番組ファイルとして送信機ＴＭに順次供給する。送信機ＴＭは、サーバコンピュータＳＣから供給される多重化されたサーバ型放送番組ファイルを各サーバ型受信機２００に配信する。
【００３８】
＜クライアントコンピュータＣＣ＞
図８は、クライアントコンピュータＣＣの構成を示すブロック図である。
クライアントコンピュータＣＣは、ＣＰＵ、ＲＯＭ、ＲＡＭ、通信装置などを備え、ＣＰＵがＲＯＭ等に格納された各種制御プログラムを実行することにより以下に示す各部の機能等を実現する。
【００３９】
チューナ映像処理部（受信手段）２１０は、図示せぬアンテナからチューナＴＮを介して受信されるサーバ型放送番組ファイルを受信番組データベース２２０に順次蓄積する。
受信番組データベース２２０は、ハードディスク等により構成され、チューナ映像処理部２１０から供給されるサーバ型放送番組ファイルを複数記憶する。
【００４０】
制御部２３０は、サーバ型受信機２００の各部を中枢的に制御するとともに、受信番組データベース２２０に蓄積されている各サーバ型放送番組ファイルを保存・管理する役割を担っている。また、制御部（判定手段）２３０は、サーバ型放送番組ファイルについて本編データの特定箇所に合成されたＣＭデータを分離すべきか否かを判定する役割も担っている。
【００４１】
ＣＭ保存期限管理部２４０は、各サーバ型放送番組ファイルに付加されているＣＭ期限情報を参照することにより、対応するＣＭデータの保存・破棄等の処理を行う。
分離処理部（分離手段）２５０は、視聴者によって視聴の選択等がなされたサーバ型放送番組ファイルについて、ＣＭデータが合成されている本編データ（図６参照）から当該ＣＭデータを分離することで、該ＣＭデータが合成される前の本編データ（図５参照）を得る。
【００４２】
再生部（再生手段）２６０は、制御部２３０による制御のもと、視聴者によって選択等された番組を再生することで、ディスプレイＤＰに番組の映像を表示したり、サウンドシステムＳＳから番組の音楽や音声などを出力する。なお、再生部２６０によって再生される内容は、後述する条件によって異なり、例えば当該条件に合致した場合にはＣＭデータが合成されたままの本編データ(図６参照)が再生される一方、当該条件に合致しない場合にはＣＭデータが分離された合成前の本編データ（図５参照）が再生される。なお、再生部２６０によって再生される内容等については、以下に示す放送システム３００の動作説明の項においてその詳細を明らかにする。
【００４３】
（２）実施形態の動作
図９は、放送局１００の動作を示すフローチャートであり、図１０は、サーバ型受信機２００の動作を示すフローチャートである。
【００４４】
放送局１００のサーバコンピュータＳＣは、放送する番組を決定すると（ステップＳａ１）、当該番組に必要な情報（例えば、所定の番組ファイルやＣＭファイルなど）を番組データベース等から抽出する。サーバコンピュータＳＣは、抽出したＣＭファイルに含まれるＣＭデータの中から合成元となるＣＭデータを決定するとともに、抽出した番組ファイルに含まれる本編データの中から合成先となる本編データを決定する（ステップＳａ２→ステップＳａ３）。
【００４５】
そして、サーバコンピュータＳＣは、合成元のＣＭデータを合成先の本編データに合成することで、図３（ｂ）に示すような合成後の番組ファイルを生成する（ステップＳａ４）。さらに、サーバコンピュータＳＣは、図７に示すようなメタデータを構成するＣＭ付加情報及び番組付加情報を生成し、これを合成後の番組ファイルに付加する（ステップＳａ５）。
【００４６】
サーバコンピュータＳＣは、ＣＭ付加情報及び番組付加情報を付加した合成後の番組ファイルを多重化等し、サーバ型放送番組ファイルとして送信機ＴＭに順次供給する（ステップＳａ６）。これにより、多重化されたサーバ型放送番組ファイルが送信機ＴＭを介して各サーバ型受信機２００に配信されることになる。
【００４７】
一方、サーバ型受信機２００のクライアントコンピュータＣＣは、チューナＴＮ等を介してサーバ型放送番組ファイルを受信すると、これを受信番組データベース２２０に格納する（ステップＳｂ１→ステップＳｂ２）。その後、クライアントコンピュータＣＣは、リモコン装置（図示略）等から所定の番組の視聴指示を受け取ると（ステップＳｂ３；ＹＥＳ）、受信番組データベース２２０に格納されている複数のサーバ型番組ファイルの中から、視聴指示のあったサーバ型番組ファイルを抽出する（ステップＳｂ４）。より具体的には、クライアントコンピュータＣＣは、各サーバ型番組ファイルに含まれるリモコン操作情報を参照することで、視聴指示のあったサーバ型番組ファイルの抽出を行う。
【００４８】
かかる抽出を行うと、クライアントコンピュータＣＣは、まず、サーバ型番組ファイルに含まれる合成判別フラグを参照し、ＣＭが合成されたサーバ型番組ファイルであるか否かを判断する（ステップＳｂ５）。クライアントコンピュータＣＣは、ＣＭが合成されたサーバ型番組ファイルであると判断すると（ステップＳｂ５；ＹＥＳ）、ＣＭを視聴するか否かの判断を視聴者に促す文字メッセージ（「ＣＭを視聴しますか？視聴する場合には“ＹＥＳ”を、視聴しない場合には“ＮＯ”を選択してください」等）をディスプレイＤＰ等に表示する（ステップＳｂ６）。一方、クライアントコンピュータＣＣは、ＣＭが合成されたサーバ型番組ファイルでないと判断した場合には（ステップＳｂ５；ＮＯ）、ステップＳｂ１０に進み、通常の再生処理（時系列順にそのまま再生する処理）を行った後、処理を終了する。
【００４９】
上記文字メッセージをディスプレイＤＰ等に表示すると、クライアントコンピュータＣＣは、リモコン装置（図示略）等から送られる指示に基づき、番組再生時にＣＭを視聴するか否かを判断する（ステップＳｂ７）。クライアントコンピュータ（判定手段）ＣＣは、リモコン装置（図示略）等からＣＭを視聴する旨の指示を受信すると（ステップＳｂ７；ＹＥＳ）、本編データの特定箇所に合成されたＣＭデータを分離し（ステップＳｂ８）、ステップＳｂ９に進んで再生した後、処理を終了する。この結果、各ＣＭ部分はスキップされることなく再生され、かつ、本編部分も正常に再生される（図５等参照）。なお、ＣＭが１回視聴された後においては、当該ＣＭをスキップしたとしても本編部分は全て正常に再生される。
【００５０】
一方、クライアントコンピュータ（判定手段）ＣＣは、リモコン装置（図示略）等からＣＭを視聴しない旨の指示を受信すると（ステップＳｂ７；ＮＯ）、ステップＳｂ８をスキップしてステップＳｂ９に進み、本編データの特定箇所に合成されたＣＭデータを分離することなく、そのまま再生し、処理を終了する。この結果、各ＣＭ部分はスキップされる（すなわち再生されない）ものの、本編部分の特定箇所に合成されたＣＭは分離されず、当該部分は見難いものとなる（図６等参照）。
【００５１】
以上説明したように、本実施形態に係る放送システム３００によれば、ＣＭスキップ防止のために、放送局１００から本編の一部にＣＭを合成した番組を放送する。サーバ型受信機２００においては、この番組をそのまま再生したとしても、ＣＭが合成された本編部分は見難いため、本編全てにおいて正常な再生を望む視聴者は、ＣＭの視聴を受け入れる選択を行う。かかる選択が行われることにより、合成されたＣＭは上記本編部分から分離され、本編全てにおいて正常な再生が行われることになる。
【００５２】
このように、番組の一部をなすＣＭを用いて本編の一部をマスクすることで、視聴者が当該ＣＭを見たくなるように誘導することができる。また、サーバ型放送においてＣＭ付き無料放送等を実現することができる。
【００５３】
一方、視聴者は、ＣＭを視聴することで正常に再生される本編を視聴することができ、また、ＣＭの合成部分において見難くなることを許容すれば、ＣＭを視聴せずとも、本編の概略を知ることができる。また、ＣＭの合成部分において見難い番組をそのまま視聴した後、再び視聴する際にＣＭを視聴する等の選択も可能である。さらに、サーバ型受信機２００においては、本編部分に合成されているＣＭを分離し、少なくとも１回そのＣＭを再生した後に消去することで、受信番組データベースに空き容量を生成することができる。
【００５４】
Ｂ．変形例
＜変形例１＞
上述した本実施形態では、放送される番組を各受信機に蓄積させ、各視聴者がそれぞれ好きなときに見られるようにするサーバ型放送を想定したが、受信番組がリアルタイムに再生されるストリーム型番組の放送等にも適用可能である。ただし、ストリーム型番組の放送に適用する場合には、図３（ｃ）に示すように、合成元となるＣＭデータは、合成先の本編データよりも前に送信されるＣＭデータに限られる（例えば、「本編２」に対する「中ＣＭ」など）。
【００５５】
また、本実施形態では特に言及しなかったが、ハードディスク等を備えた受信機において、いわゆる「追いかけ再生」（録画しながら時間差をつけて再生）が行われる場合も、本実施形態と同様に適用可能である。
【００５６】
＜変形例２＞
また、上述した本実施形態では、合成元として番組のスポンサー等のＣＭを例示したが、これに限らず、番組の一部を構成する動画や１フレームで示される静止画（テロップ等）など、番組に関連するあらゆる情報（番組関連情報）を適用することができる。
【００５７】
また、映像のみならず、縞模様などを表す関数を合成元として指定してもよく、さらには、放送される番組の一部をなす音を合成元として指定しても良い。
【００５８】
また、合成元の映像と合成先の映像を所定時間分（例えば１５秒分）だけずらして単純に合成して放送し、受信機では最初から連続して再生しなければ正常な映像が見られない等の処理を施すことも可能である。
【００５９】
＜変形例３＞
また、上述した本実施形態では、ＣＭファイルと番組ファイル（あるいは生放送素材）を一体化して送る場合について説明したが、例えばＣＭファイルと番組ファイル（あるいは生放送素材）とをそれぞれ別に送信しても良く、また、異なる通信経路を利用して送信しても良い。
【００６０】
また、上述した本実施形態では、サーバ型放送番組ファイルの送信形態について特に言及しなかったが、地上波を介するもの、ＢＳやＣＳ等の人工衛星を介するもの、ケーブルテレビやインターネットを介するもの等に適用可能である。
【００６１】
また、サーバ型受信機２００については、チューナＴＮ、クライアントコンピュータＣＣ、ディスプレイＤＰ、サウンドシステムＳＳをそれぞれ有線接続(若しくは無線接続)して別体構成とすることもできるが、これらを一体構成としても良い。また、サーバ型受信機２００としては、ＨＤＤレコーダやＤＶＤレコーダのほか、チューナ機能やハードディスク機能を備えた一般的なパーソナルコンピュータ、ＰＤＡ、携帯電話、テレビ等にも適用可能である。
【００６２】
＜変形例４＞
また、上述した本実施形態では、映像の圧縮・伸張について特に言及しなかったが、例えばＭＰＥＧ−２方式等を用いて圧縮し、ビットレートを調整した後に放送するようにしても良い。具体的には、放送局１００において圧縮した後にＣＭを合成する方法や、ＣＭを合成した後に圧縮する方法を採用することができるが、ＣＭ視聴の点に鑑みれば、ＣＭを合成した後に圧縮する方が効果的である。以下、その理由について説明する。
【００６３】
視聴者は、ＣＭ視聴の回避を考えた場合、合成されたＣＭを自動的に分離する機能（ＣＭ自動分離機能）が受信機２００に搭載されていれば、このＣＭ自動分離機能を利用してＣＭを分離することを試みる。ここで、圧縮した後にＣＭを合成したものであれば、これを分離等することは受信機２００において一意に実行することができる。
【００６４】
これに対し、ＣＭを合成した後に圧縮したもの（すなわち、圧縮前の原画像同士を合成したもの）である場合には、受信機２００は伸張後に分離操作を行う必要があり、伸張処理の優劣によっては、完全な分離ができないことがある。もし、分離後に得られる映像に目立つ雑音が乗っているような場合には、視聴者が目視確認等のうえ、ＭＰＥＧ−２に準拠した伸張処理を放送局１００の圧縮処理に近づけるように処理パラメータを変更することで、該雑音を抑えることができるケースもある。このような場合には、結局、受信機２００による自動処理だけでは事足りず、視聴者が実際に確認等する必要がある。また、いったん伸張し、ＣＭ分離した画像を保存するためには、受信機２００において再圧縮する必要があり、これにより、受信機２００において保存される画像は放送局１００から送られる原画像とは異なるものとなる。このように、ＣＭを合成した後に圧縮したものを放送することで、受信機２００によるＣＭの自動分離を視聴者に躊躇させることが可能となる。
【００６５】
図１１は、変形例４に係るサーバコンピュータＳＣ’の構成を示す図、図１２は、変形例４に係るクライアントコンピュータＣＣ’の構成を示す図、図１３は、変形例４に係る番組付加情報の内容を例示した図である。なお、図１１、図１２、図１３について、それぞれ前掲図２、図８、図７と対応する部分には同一符号を付し、詳細な説明は省略する。
【００６６】
図１１に示すサーバコンピュータＳＣ’の圧縮処理部１７０は、合成器１４０から供給されるＣＭが合成された後の番組ファイルにＭＰＥＧ−２等の圧縮処理を施し、圧縮後の番組ファイルを多重化装置１６０に供給する。
【００６７】
付加情報生成部１５０は、前掲図７に示すＣＭ合成判別フラグ、合成元ＣＭ情報、合成先本編情報、合成処理情報、リモコン操作情報のほか、圧縮映像伸張時の指定情報を含む番組付加情報を生成する（図１３参照）。番組付加情報に含まれる圧縮映像伸張時の指定情報は、ＭＰＥＧ−２等の圧縮・伸張処理に関わるパラメータ情報であり、例えば受信機２００において実行すべき伸張処理等の偽のバージョン情報（例えば正しいバージョンが「バージョン２」であるのに対し、「バージョン３」等）等が記されている。このように、伸張処理等の偽のバージョン情報を圧縮伸張時の指定情報として設定することで、受信機２００によるＣＭの自動分離処理を抑制することが可能となる。
【００６８】
一方、図１２に示すクライアントコンピュータＣＣ’の各伸張処理部２７０は、視聴者によって選択された番組がＣＭ合成されたサーバ型放送番組ファイルであれば、分離処理部２５０によってＣＭデータが分離された後の番組ファイルに伸張処理を施す一方、視聴者によって選択された番組がＣＭ合成されていないサーバ型放送番組ファイルであれば、受信番組データベース２２０から直接（すなわち、分離処理部２５０を介すことなしに）供給される番組ファイルに伸張処理を施す。そして、伸張処理部２７０は、伸張処理を施した後の番組ファイルを再生部２６０に供給する。その他の構成要素の動作等については、上述した本実施形態と同様であるため、説明を省略する。以上説明したように、放送される番組にＭＰＥＧ−２方式の圧縮等をかけるようにしても良い。なお、本変形例ではサーバ型放送を想定して説明したが、変形例１と同様、受信番組がリアルタイムに再生されるストリーム型番組の放送等にも適用可能である。
【図面の簡単な説明】
【００６９】
【図１】本実施形態に係る放送システムの構成を示す図である。
【図２】同実施形態に係るサーバコンピュータの構成を示す図である。
【図３】同実施形態に係る合成器による合成動作を説明するための図である。
【図４】同実施形態に係る合成元となるＣＭデータを例示した図である。
【図５】同実施形態に係るＣＭデータが合成される前の本編データを例示した図である。
【図６】同実施形態に係るＣＭデータが合成された後の本編データを例示した図である。
【図７】同実施形態に係るＣＭ付加情報及び番組付加情報を例示した図である。
【図８】同実施形態に係るクライアントコンピュータの構成を示すブロック図である。
【図９】同実施形態に係る放送局の動作を示すフローチャートである。
【図１０】同実施形態に係るサーバ型受信機の動作を示すフローチャートである。
【図１１】変形例４に係るサーバコンピュータの構成を示す図である。
【図１２】同変形例に係るクライアントコンピュータの構成を示す図である。
【図１３】同変形例に係る番組付加情報を例示した図である。
【符号の説明】
【００７０】
ＳＣ、ＳＣ’・・・サーバコンピュータ、ＴＭ・・・送信機、ＴＮ・・・チューナ、ＤＰ・・・ディスプレイ、ＳＳ・・・サウンドシステム、ＣＣ、ＣＣ’・・・クライアントコンピュータ、１００・・・放送局、１１０・・・番組データベース、１１１・・・第１データベース、１１２・・・第２データベース、１１３・・・第３データベース、１２０・・・制御部、１３０・・・映像スイッチャー、１４０・・・合成器、１５０・・・付加情報生成部、１６０・・・多重化装置、１７０・・・圧縮処理部、２００・・・サーバ型受信機、２１０・・・チューナ映像処理部、２２０・・・受信番組データベース、２３０・・・制御部、２４０・・・ＣＭ保存期限管理部、２５０・・・分離処理部、２６０・・・再生部、２７０・・・伸張処理部。
【図１】
2006041808.tif 000003
【図２】
2006041808.tif 000004
【図３】
2006041808.tif 000005
【図４】
2006041808.tif 000006
【図５】
2006041808.tif 000007
【図６】
2006041808.tif 000008
【図７】
2006041808.tif 000009
【図８】
2006041808.tif 000010
【図９】
2006041808.tif 000011
【図１０】
2006041808.tif 000012
【図１１】
2006041808.tif 000013
【図１２】
2006041808.tif 000014
【図１３】
2006041808.tif 000015